(57)【要約】【課題】  食品の包装材として紙袋の持つ長所と箱形容器の持つ長所の双方を兼ね備えるようにした、ファーストフード店などで好適に用いられる包装容器と容器入り食品を提供する。【解決手段】  下容器部分２と上容器部分３がヒンジ部４を介して開放姿勢と閉鎖姿勢とを選択的に取りうるようにされた容器本体１内に、収容した食品５０をラッピングできる大きさの包装シート１０を予め折り込んだ状態で下容器部分２の底部７に収容する。食するときに包装シート１０を引き出しかつ展開して、収容した食品５０をラッピングする。【選択図】  図４
2005306480.tif 000002
【特許請求の範囲】
【請求項１】
下容器部分と上容器部分がヒンジ部を介して開放姿勢と閉鎖姿勢とを選択的に取りうるうにされた容器本体と、収容した食品をラッピングできる大きさの包装シートとを備え、包装シートは予め折り込んだ状態で下容器部分の底部に収容されており、食するときに包装シートを展開することにより収容した食品をラッピングできるようにされていることを特徴とする包装容器。
【請求項２】
食品を入れて容器本体を閉鎖姿勢としたときに一部が飛び出る状態で下容器部分の底部に包装シートが収容されており、食するときに該飛び出ている部分をもって引き出すことにより包装シートは部分的に展開することを特徴とする請求項１に記載の包装容器。
【請求項３】
包装シートの飛び出ている部分とは反対側の端部が下容器部分に接着されていることを特徴とする請求項２に記載の包装容器。
【請求項４】
包装シートの接着部近傍には易破断部が形成されていることを特徴とする請求項３に記載の包装容器。
【請求項５】
包装シートの飛び出ている部分とは反対側の端部が立ち上がり部となっており、該立ち上がり部は包装シートが下容器部分の底部に収容されているときに下容器部分の側壁に近接して位置していることを特徴とする請求項２に記載の包装容器。
【請求項６】
下容器部分と上容器部分がヒンジ部を介して開放姿勢と閉鎖姿勢とを選択的に取りうるようにされた容器本体と、収容した食品をラッピングできる大きさの包装シートとからなり、包装シートは予め折り込んだ状態で下容器部分の底部と上容器部分の底部にわたるようにして収容されており、食するときに包装シートを展開することにより収容した食品をラッピングできるようにされていることを特徴とする包装容器。
【請求項７】
包装シートとして両側部を中央部の裏面側に折り込んだ折り込み部を少なくとも有する包装シートを用いることを特徴とする請求項１〜６のいずれかに記載の包装容器。
【請求項８】
包装シートとして収容した食品を取り込むことのできる開口部を備えた袋状のものを用いることを特徴とする請求項１に記載の包装容器。
【請求項９】
請求項８に記載の包装容器であって、包装シートは食品を入れて容器本体を閉鎖姿勢としたときに一部が飛び出る状態で下容器部分の底部に収容されており、かつ食するときに該飛び出ている部分を引くことにより包装シートは収容した食品を取り込むことのできる大きさにその開口部が開いた状態になり得るようにして収容されていることを特徴とする包装容器。
【請求項１０】
請求項１〜９のいずれかに記載の包装容器の中に食品を入れて包装してなる容器入り食品。
【発明の詳細な説明】
【技術分野】
【０００１】
本発明は包装容器に関し、特に、ファーストフード店において提供されるハンバーガーなどの食品を収納するのに適した包装容器と容器入り食品に関する。
【背景技術】
【０００２】
ファーストフード店でハンバーガーなどの食品を提供する場合、ポリエチレンフィルムなどをラミネートした紙で作った袋を用いる場合と、下容器部分と上容器部分がヒンジ部を介して開放姿勢と閉鎖姿勢とを選択的に取りうるようにされた箱型容器（クラムシェル型容器）を用いる場合とがある。特に食品がハンバーガーの場合、比較的薄手のものは紙袋に入れて提供され、３段、４段と多段に積み上げて高さの高くされたハンバーガーはクラムシェル型の箱形容器に入れて提供されることが多い。
【０００３】
特許文献１（特開２００３−７２７４９号公報）には、クラムシェル型箱形容器の一例が示されており、そこにおいて、収納したハンバーガーを箱から取り出さずに食べることができるように、下容器部分と上容器部分の先端側が外側に反転可能となっている。反転させることにより開放した部分から収容したハンバーガーを露出させて、箱を手で持った状態でハンバーガーを食べることができる。
【０００４】
ハンバーガーなどを包装する他のパックとして、特許文献２（特表２００２−５２０２３３号公報）には、側壁と端壁を備えた矩形のベースを有するトレーと、トレーに付着されたラッピング材とからなるフードパックが記載されており、ラッピング材に食品を入れた後、トレー内に収まる形にラッピング材を折り込み、かつ、ベースに備えた端壁を立ち上げることにより、包装は完成するようになっている。
【０００５】
【特許文献１】特開２００３−７２７４９号公報
【特許文献２】特表２００２−５２０２３３号公報
【発明の開示】
【発明が解決しようとする課題】
【０００６】
ハンバーガーなどの食品は柔らかくまた潰れやすい。さらに、種類によっては汁の出やすいものもある。紙袋に包んで提供する場合は、開封後、食品に手を触れることなく食べることができ、また食品がこぼれ出ることもないので、ハンドリングが容易である利点がある。しかし、通常、気密性であることから、長い時間袋に入れたままにしておくと、食品から出る熱や水蒸気により食感が変化するおそれがある。また、持ち運んでいるときに、食品を潰してしまうことも起こり得る。
【０００７】
箱形容器で提供する場合には、収容した食品と容器の間に適度な空間が常時形成されており、食品の食感が良好に保たれ、また、持ち運ぶときに不用意に食品が潰れるようなことも回避することができる。しかし、箱を開いた後、ハンバーガーのような食品を直接手で取りだして食べることとなるので、手に食品の一部が付着したり、また、食品の一部がこぼれ出すという課題が残されている。特許文献１に記載される形態の容器を用いる場合には、箱の一部を開いた状態で食品を食べることができ、基本的には、食品を手でつかんで取り出す必要がないので、手が汚れない利点がある。しかし、食品の残りが少なくなったときに食べづらくなり、手で取り出すことが必要となることがある。その場合には、食品の一部こぼれや、汁気の多い食品の場合には、食品から汁が出た状態となり、手を汚すことにもなりかねない。
【０００８】
特許文献２に記載される形態のフードパックは、側壁と端壁を備えたトレーを備えており、端壁を立ち上げることにより包装は完成するので、収容した食品が不用意に潰れることはある程度回避できる。また、ラッピング材で食品を包むようにしており、食品を食べるときにラッピング材の上から食品をつかむことができ、手が汚れることはない。食品の一部や汁が外に漏れ出ることもない。しかし、フードパック内に食品を収容した後、トレー内に収まる形にラッピング材を折り込んで包装食品とするまでの工程数が多く、迅速な処理が求められるファーストフード店での使用には不向きである。
【０００９】
本発明は、上記のような事情に鑑みてなされたものであり、食品の包装材として紙袋の持つ長所と箱形容器の持つ長所の双方を兼ね備えるようにした、ファーストフード店などで好適に用いられる包装容器と容器入り食品を提供することを目的とする。
【課題を解決するための手段】
【００１０】
本発明による包装容器の第１の形態は、下容器部分と上容器部分がヒンジ部を介して開放姿勢と閉鎖姿勢とを選択的に取りうるようにされた容器本体と、収容した食品をラッピングできる大きさの包装シートとを備え、包装シートは予め折り込んだ状態で下容器部分の底部に収容されており、食するときに包装シートを展開することにより収容した食品をラッピングできるようにされていることを特徴とする。
【００１１】
本発明において、容器本体は従来知られたいわゆるクラムシェル型の箱形容器であってよく、例えば前記特許文献１に記載されるような包装容器を用いることができる。ただし、後記するように本発明の包装容器では包装シートを併せて用いることから、下容器部分と上容器部分の先端側が外側に反転可能となる構成は不要であり、単に、下容器部分と上容器部分がヒンジ部を介して開放姿勢と閉鎖姿勢とを選択的に取りうるようにされていればよい。従って、容器本体の構成を簡素化できる利点ももたらされる。
【００１２】
本発明において、包装シートは、容器本体に収容した食品を食べるときに、食品をラッピングできるものであればよいが、好ましくは、紙とポリエチレンフィルムなどの樹脂フィルムを積層したものが用いられ、樹脂フィルム側が食品側となるようにして、かつ、予め折り込んだ状態で下容器部分の底部に収容される。折り込み方に特に制限はないが、収容した食品を食べるときに容易に展開できるような折り込み方が望ましい。好ましくは、包装シートとして、両側部を中央部の裏面側に両側の拡幅部を折り込んだ折り込み部を少なくとも有するものが用いられる。
【００１３】
なお、本発明において、包装シートは展開したときに全体が一葉のシート状態となるものであってもよく、収容した食品を取り込むことのできる開口部を備えた袋状のものであってもよい。従って、本発明において、「包装シート」の語はその双方を含む意味で用いており、「ラッピング」の語も一葉のシート状態のもので食品を包み込む場合と、袋状のものにその開口部から食品を取り込んでその全部または一部を袋内に収容する場合の双方の意味で用いている。
【００１４】
食品包装体を作るに当たっては、最初に、容器本体を開放姿勢とし、下容器部分の底部に折り込まれた状態の包装シートを置く。その上に、収容すべき食品を置く。食品が例えばハンバーガーのように多層構造のものであり、店頭で各層の積み重ねが行われるような場合には、包装シートの上に下食材を置き、その上に順次所要の食材を重ねるようにする。最上位となる食材は、隣接する上容器部分の底部に裏返しした状態で置くようにしてもよい。
【００１５】
そのようにして所要の食品を収納した後、ヒンジ部を利用して上容器部分を回動させて下容器部分に重ね合わせ、容器本体を閉鎖姿勢とすることにより、本発明の包装容器を用いた食品包装体は完成する。その状態で、購買者に提供される。この食品包装体では、収容した食品と容器本体には適度な空間が確保されており、通気性、保温性、保形性など従来の箱形容器のもつ長所はそのまま保持される。
【００１６】
購買者が食品を食べるときは、上容器部分を開いて容器本体を開放姿勢とし、折り込んである包装シートの下に指先を入れて、食品を包装シートと共に持ち上げる。次に、包装シートを展開して開いた状態とし、包装シート全体で食品を包み込む（ラッピングする）。包装シートの上から食品をつかみ、包装シートの一部を開口し、そこから露出している食品の部分から食べるようにする。包装シートが袋状のものである場合には、開口部を開いた状態とし、そこから食品の一部または全部を袋内に取り込み、開口部から露出している食品の部分から食べるようにする。
【００１７】
このようにすることにより、食品を直接手で触ることなく食品全体を食べ終えることができる。また、その過程で食品は十分に包装シートで包まれているので、食品の一部がこぼれ出ることはなく、汁の多い食品でも汁が飛び出ることはない。すなわち、食品を食べるときには、袋に食品を入れて提供される場合の長所をそのまま保持することができる。
【００１８】
好ましい態様において、食品を入れて容器本体を閉鎖姿勢としたときに一部が下容器部分あるいは容器本体から飛び出る状態となるようにして下容器部分の底部に包装シートが収容され、食するときに該飛び出ている部分をもって引き出すことにより包装シートは部分的に展開することができるようにされる。この態様では、包装シートの飛び出ている部分をもって引き出すことにより、包装シートを長手方向に容易に展開することができるので、以後のラッピング作業が容易化する。
【００１９】
上記の態様において、包装シートの飛び出ている部分をもって引き出すときに、引き出しの程度によっては、包装シート全体が容器本体から飛び出してしまうことが起こり得る。その場合には、包装シートを展開した状態とした後、食品をラッピングすればよいが、その過程で食品を手でつかみ出す工程が必要となり、好ましくない。それを回避するために、他の態様では、包装シートの容器本体から飛び出ている部分とは反対側の端部を下容器部分に容易に剥離できる程度の接着力で接着させておくようにする。それにより、不用意に包装シートが外部に引き出されてしまうのを回避することができる。
【００２０】
上記の態様の場合、包装シートおよび下容器部分にわずかとはいえ粘着剤が露出することとなる。それが望ましくない場合には、包装シートの接着部近傍にはミシン目のような易破断部を形成することが望ましい。易破断部で包装シートが容器本体から分離することにより、分離した包装シート側には粘着剤はなく、また、容器本体側の粘着剤は残った包装シート部分に覆われているので、露出することはない。
【００２１】
不用意に包装シート全体が引き出されてしまうのを回避する他の手段として、包装シートの容器本体から飛び出ている部分とは反対側の端部に立ち上がり部を構成し、その立ち上がり部を、包装シートが下容器部分の底部に収容されているときに下容器部分の側壁に近接して位置させるようにしてもよい。この態様では、包装シートを引き出すときに、その立ち上がり部が収容した食品の側面に衝接することから抵抗体として機能することとなり、不用意な引き抜きを回避することができる。また、粘着剤を使用しないので、食品に粘着剤が付着するというような不都合は生じない。
【００２２】
前記のように、本発明による包装容器において、包装シートとして収容した食品を取り込むことのできる開口部を備えた袋状のものを用いることもできる。その場合にも、好ましくは、包装シートは食品を入れて容器本体を閉鎖姿勢としたときに一部が飛び出る状態で下容器部分の底部に収容され、かつ食するときに該飛び出ている部分を引くことにより包装シートは収容した食品を取り込むことのできる大きさにその開口部が開いた状態となり得るようにして収容される。この態様では、包装シートの飛び出ている部分を引く（好ましくは斜め上に引き上げる）ことにより、開口部が大きく開いた状態となるので、以後のラッピング作業、すなわち、袋状の包装シートの中に食品の全部または一部を取り込む作業を円滑に行うことができる。
【００２３】
本発明による包装容器の第２の形態は、下容器部分と上容器部分がヒンジ部を介して開放姿勢と閉鎖姿勢とを選択的に取りうるようにされた容器本体と、収容した食品をラッピングできる大きさの包装シートとからなり、包装シートは予め折り込んだ状態で下容器部分の底部と上容器部分の底部にわたるようにして収容されており、食するときに包装シートを展開することにより収容した食品をラッピングできるようにされていることを特徴とする。なお、上記第２の形態の包装容器では、収容した食品を取り込むことのできる開口部を備えた袋状の包装シートは用いられない。
【００２４】
この形態の包装容器の使用態様は、包装シートの設置態様を除いて上記した第１の形態のものと同様であり、同様な作用効果が得られる。ただ、この食品包装体では、収容した食品の側面および上面にまで包装シートが及んでいるので、食品と包装シートの接触面積が第１の形態のものと比較して大きくなる不利益がある。しかし、包装容器を開放姿勢として食品を取り出す際に、容器本体のヒンジ部側から指を差し入れるだけで、包装シートの上から食品をつかみ出し、直ちに包装シートの展開と食品のラッピングを行うことができるので、折り込んである包装シートを最初に引き出す工程を省略できる利点がある。
【００２５】
また、本発明は、前記包装容器の中に食品を入れて包装してなる容器入り食品を提供する。
【発明の効果】
【００２６】
本発明によれば、食品の包装材として紙袋の持つ長所と箱形容器の持つ長所の双方を兼ね備えた包装容器が得られる。本発明による包装容器は、ファーストフード店でのハンバーガーの提供用容器として特に優れた効果を発揮する。また、本発明による容器入り食品は、前記包装容器の中にハンバーガーなどの食品を入れて包装したものなので、内部の食品の食感が良好に保たれ、食する際に手を汚すこともなく、店内用、テイクアウト用として利便性を有する。
【発明を実施するための最良の形態】
【００２７】
以下、図面を参照しながら本発明を説明する。図１は本発明で用いる容器本体の一例を示しており、図１ａは開いた状態（開放姿勢）を、図１ｂは閉じた状態（閉鎖姿勢）を示す。図２は包装シートの一例を示す展開図であり、図３はそれを折り込む場合の一例を示している。図４は本発明による包装容器を用いて食品を包装する前の状態を示しており、図５〜図１１は食品を包装しかつ包装した食品を食べるまでの手順を順を追って説明している。
【００２８】
図１に示す容器本体１は、前記特許文献１に記載されるような紙を素材とする全体として箱形の容器（クラムシェル型箱形容器）であり、下容器部分２と上容器部分３がヒンジ部４を介して開放姿勢と閉鎖姿勢とを選択的に取りうるようになっている。図１ｂに示す閉鎖姿勢にあるときに、下容器部分２に形成した突片５，５と上容器部分３に形成した係止片６，６とが係合して、蓋をなす上容器部分３が自由に開放するのを阻止している。なお、本発明において図１に示す形状の容器本体１は一つの例であって、その材質や形状、大きさ等は任意である。以下ではこの包装容器１に食品としてハンバーガー５０を収容する場合を例として本発明を説明する。
【００２９】
包装シート１０は、薄手の折り込み可能な材料で作られる。好ましくは紙とポリエチレンフィルムなどの樹脂フィルムを積層したものが用いられる。図２に示す包装シート１０は、中央領域部１１と、その全長の前方向の２／３程度において両側に広がる拡幅部１２ａ，１２ｂとを有し、中央領域部１１の前端側は舌片状の突出部１３となっている。また、中央領域部１１の拡幅部１２ａ，１２ｂを有しない後方領域部１４の後端には立ち上がり部１５とされる幅の狭い領域が設けてある。包装シート１０の中央領域部１１の幅Ｗは下容器部分２の底部７の幅Ｗ１とほぼ同じかやや狭くされ、後方領域部１４の長さＬは下容器部分２の底部７の長さＬ１とほぼ同じかやや短くされる。
【００３０】
この包装シート１０は図３に示すようにして折り込まれる。すなわち、樹脂フィルムが積層してある場合には樹脂フィルムが裏面になるようにして、包装シート１０を開いた状態とする（図３ａ）。最初に一方の拡幅部１２ａを中央領域部１１の上に折り込み（図３ｂ）、その上にもう一方の拡幅部１２ｂを折り込む（図３ｃ）。次に、折り込んだ部分全体（１６，１７）を後方領域部１４側に折り畳み、再び、下容器部分２の底部７の長さＬ１よりも長い長さ１７の分だけ反対側に折り返す（図３ｄ）。それにより、舌片状の突出部１３が前記後方領域部１４の一方（図では右側）に飛び出た状態で全体がコンパクトに折り込まれる。
【００３１】
ハンバーガー５０を収容するに際し、図４に示すように、開放姿勢とした容器本体１と、上記のように折り込んだ包装シート１０と、下食材５１と上食材５２と中食材５３とからなるハンバーガー５０を用意する。最初に、図５に示すように、下容器部分２の底部７内に、折り込んだ包装シート１０を折り畳んだ部分（１６，１７）が底部７側となるようにして入れ込む。前記したように、折り返した部分の長さ１７は、下容器部分２の底部７の長さＬ１よりも長くされているので、入れ込んだ状態で、舌片状の突出部１３は下容器部分２から飛び出た状態となる。また、後方領域部１４の後端に設けられた立ち上がり部１５は、下容器部分２のヒンジ部４側の側壁２ａに沿って立ち上った姿勢となる。その状態で、図６に示すように、入れ込んだ包装シート１０の上にハンバーガー５０を置く。なお、図示の例では、ハンバーガー５０はすでに３層に組み上げられたものを示しているが、下食材５１を入れ込んだ包装シート１０の上に置き、上食材５２は上容器部分３の底部に裏返して置き、その状態で下食材５１の上に中食材５３を積層するようにしてもよい。
【００３２】
ハンバーガー５０を入れた後、上容器部分３をヒンジ部４を支点として回転し、下容器部分２の上に蓋をするようにして重ね合わせることにより、図７に示すように、ハンバーガー５０を収容した食品包装体２０は完成する。この状態で包装シート１０の前記舌片状の突出部１３は一部あるいは全部が外に飛び出たようになる。また、この状態は、収容したハンバーガー５０（容器入り食品）と容器本体１との間に適度な空間が確保されており、通気性、保温性、保形性など従来の箱形容器のもつ長所はそのまま保持される。
【００３３】
図７に示す状態で提供される食品包装体２０を購買者が中身（ハンバーガー５０）を食べるときは、最初に上容器部分３を開く。次に、下容器部分２から飛び出ている包装シート１０の部分、すなわち舌片状の突出部１３を指でつまみ、後方領域部１４をハンバーガー５０の下に残した状態で外側に引き出す。それにより、図８に示すように、包装シート１０の前記折り畳んだ部分１６，１７はハンバーガー５０の下から外に飛び出てくる。
【００３４】
その後、裏側に手を入れて左右の拡幅部１２ａ、１２ｂを開き（図９）、ハンバーガー５０の上に被せ（図１０）、包装シート１０の中央領域部１１の下から手を入れてハンバーガー５０を下容器部分２から取り出す。そして、図１１に示すように、先に広げておいた拡幅部１２ａ、１２ｂでハンバーガー５０をラッピングする。それにより、ハンバーガー５０は包装シート１０の樹脂フィルムを積層した面でもって包み込まれる。包装シート１０の一部を開いてラッピングされていない部分を作り、そこからハンバーガー５０を食べるようにする。なお、包装シート１０を引き出すときに、前記立ち上がり部１５は抵抗体として作用するので、包装シート１０全体が外に飛び出るのを抑制できる。もちろん、このような立ち上がり部１５は省略してもよい。
【００３５】
上記のように、購買者は、手や指先をハンバーガー５０に直接触れることなくハンバーガー５０を食べることができる。食べ終わるまでハンバーガー５０を包装シート１０でラッピングされた状態としておくことができるので、食材がこぼれることもなく、汁気の多い食材の場合でも、汁がこぼれたり汁で手が汚れることも防止できる。
【００３６】
図示しないが、立ち上がり部１５を粘着剤により下容器部分２の側壁あるいは底部に容易に剥離するように貼り付けておいてもよい。それにより、不用意に包装シート１０が外部に引き出されてしまうのを回避できる。また、立ち上がり部１５の接着部近傍にはミシン目のような易破断部を形成しておいてもよい。この場合、易破断部で包装シート１０が下容器部分２から分離するので、分離した包装シート側には粘着剤はなく、また、下容器本体２側の粘着剤は残った立ち上がり部１５で覆われているので、粘着剤が露出することはない。
【００３７】
図２に示した包装シート１０は包装シートの一例であって、折り込みと展開が可能であり、かつ、展開後に食品（ハンバーガー５０）をラッピング出きるものであれば、その形状は任意である。また、折り込み方も、最終的に展開したときに積層した樹脂フィルム側がハンバーガー５０側となればよく、図３に示した折り込み方に限られない。
【００３８】
図１２に示す包装シート１０は、図２に示したものの後方領域部１４と左右の拡幅部１２ａ、１２ｂとを扇形片１８，１８で繋いでいる点で異なっている。このような繋ぎ部を設けることにより、より確実なラッピングが得られ、食材や汁のこぼれ出をより確実に阻止することができる。図１３に示すものは、左右の拡幅部１２ａ、１２ｂが中央領域部１１の先端まで延びている点と、左右の拡幅部１２ａ、１２ｂと中央領域部１１との境目の先端側に切り込み１９，１９が入っている点で異なっている。この形態では、折り込んだときの前記した下容器部分２から飛び出る部分は３枚のシートが折り重なった状態となるが、ラッピングのための領域が広くなる利点がある。切り込み１９，１９を設けたことにより、展開とラッピングが容易となる。
【００３９】
図１４に示す包装シート１０ａは全体が矩形状である。この形態でも、中央領域部１１の上に左右の拡幅部１２ａ、１２ｂを折り込むことにより、上記した包装シート１０と同じようにして使用することができる。さらに、この形態の包装シート１０ａは図１５に示すような使い方もできる。すなわち、中央領域部１１の上に左右の拡幅部１２ａ、１２ｂを折り込んだ長尺状のものを、折り込んだ側が下側となるようにして、上容器部分３と下容器部分２とに亘ってそのまま置く。そして、この場合には容器本体１から外に飛び出ている包装シートの部分はなくてもよい。
【００４０】
下容器部分２にハンバーガー５０を入れ、上容器部分３をヒンジ部４を支点として回転させることにより、ハンバーガー５０を収容した食品包装体は完成する。この食品包装体の場合には、収容したハンバーガー５０の容器本体１のヒンジ部４側の側面および上面も折り込んだ包装シート１０ａに覆われた状態となる。そのために、上容器部分３を開いてハンバーガー５０を取り出すときに、容器本体１のヒンジ部４側から指を差し入れて包装シート１０ａの上からハンバーガー５０をつかみ出し、その後包装シート１０ａを展開することでハンバーガー５０のラッピングを行うことができる。前記した短く折り畳んである包装シート１０の場合のように、舌片状の突出部１３を指で摘んで外に引き出す工程を省略できる利点がある。
【００４１】
次に、容器本体１内に収容する包装シートが、収容した食品を取り込むことのできる開口部を備えた袋状のもの（以下、袋状包装シートという）である場合を、図１６〜図２５を参照しながら説明する。図１６は袋状包装シートの一例を作り方の一例とともに示している。袋状包装シート６０は、前記した包装シート１０と同様、薄手の折り込み可能な材料で作られ、好ましくは紙とポリエチレンフィルムなどの樹脂フィルムを積層した積層シートが用いられる。長方形の積層シート６１を樹脂フィルム側を上側として展開し（図１６ａ）、それを二つ折りした後、一方縁（図では上縁側）を熱シール等で接合６２する（図１６ｂ）。３つのコーナー部６３を切断した後、折り返し上方側の切断部分を再び熱シール等で接合６４し（図１６ｃ）、上側シート６５を接合部６４側に向けて折り返し線６６から折り返す（図１６ｄ）。露出した下側シート６７の一部６７ａを裁断することにより、図１６ｄに示す袋状包装シート６０となる。このように折り込んだ状態とされている袋状包装シート６０は、下側シート６７の露出した部分を上から押さえた状態で、折り返した上側シート６５の先端部分６５ａを上方に引き上げることにより、折り返し線６６の部分が次第に上方にほぼ弧状に持ち上げられていき、その領域部分が食品を取り込むことのできる開口部とする袋状に展開する。
【００４２】
この袋状包装シート６０を用いてハンバーガー５０を収容するに際しては、包装シート１０の場合と同様、図１７に示すように、開放姿勢とした容器本体１と、袋状包装シート６０と、ハンバーガー５０を用意する。そして、図１８に示すように、下側シート６７が下容器部分２の底部側７となるようにして、開放姿勢とした容器本体１の下容器部分２内に入れ込む。その際に、折り返した上側シート６５の先端側の一部６５ａが、下容器部分２の前記ヒンジ部４とは反対側の壁面４ａから飛び出るようにする。その状態で、図１９に示すように、入れ込んだ袋状包装シート６０の上にハンバーガー５０を置く。
【００４３】
ハンバーガー５０を入れた後、上容器部分３をヒンジ部４を支点として回転し、下容器部分２の上に蓋をするようにして重ね合わせることにより、図２０に示すように、ハンバーガー５０を収容した食品包装体２０は完成する。この状態で袋状包装シート６０の前記折り返した上側シート６５の先端側の一部６５ａが外に飛び出たようになる。
【００４４】
図２０に示す状態で提供される食品包装体２０を購買者が中身（ハンバーガー５０）を食べるときは、最初に上容器部分３を開く。次に、ハンバーガー５０を軽く押さえながら、下容器部分２から飛び出ている袋状包装シート６０の部分、すなわち折り返した上側シート６５の先端側の一部６５ａを指でつまみ、前方上方に向けてに引き上げる。それにより、図２１に示すように、袋状包装シート６０は袋状に展開していき、最終的に、下側シート６７の上にハンバーガー５０が乗り、かつハンバーガー５０の一部または全部が、折り返し線６６の部分から開いて袋状に展開した袋状包装シート６０の中に入り込んだ状態となる。
【００４５】
その後、展開した袋状包装シート６０の閉じている側に指を差し込んで、袋状包装シート６０とそこに収容されたハンバーガー５０を容器本体１から取り出すことにより、図２２に示すように、袋状包装シート６０の開放側に一部を露出した状態でその中に収容されたハンバーガー５０を手にすることができる。そのために、この場合でも、購買者は、手や指先をハンバーガー５０に直接触れることなくハンバーガー５０を食べることができ、食べ終わるまでハンバーガー５０を袋状包装シート６０でラッピングされた状態としておくことができる。
【００４６】
図１６に示した袋状包装シート６０は一例であって、折り込みと展開が可能であり、展開した状態で開口部が形成され、そこから袋状包装シート内に食品を取り込むことが出きるものであれば、その形状は任意である。図２３に示す袋状包装シート６０Ａは、袋状包装シート６０と同様に、紙とポリエチレンフィルムなどの樹脂フィルムを積層した長方形状の積層シート６１が用いられ、樹脂フィルム側を上側として展開し（図２３ａ）、それを二つ折りした後、一方縁（図では上縁側）を熱シール等で接合６２する（図２３ｂ）。そして、上側シート６５を対角線に沿って折り返すことによって袋状包装シート６０Ａとされる（図２３ｃ）。この袋状包装シート６０Ａも、下側シート６７の露出した部分を上から押さえた状態で、折り返した上側シート６５の先端部分６５ａを上方に引き上げることにより、折り返し線６６の領域部分を食品を取り込むための開口部とする袋状に展開する。
【００４７】
図２４はさらに他の態様であり、長方形状の積層シート６１を樹脂フィルム側を上側として展開し（図２４ａ）、それを二つ折りした後、一方縁（図では上縁側）を熱シール等で接合６２する（図２４ｂ）。そして、上側シート６５を対角線に沿って表側に折り返し、また、折り返した上側シート６５の下となる袋状領域６８の先端側６８ａを裏側に折り返す。さらに、下側シート６７の先端側６７ａの裏側に折り返す。それにより、図２４ｄに示す袋状包装シート６０ｂが得られる。この袋状包装シート６０ｂは前後方向の長さＬが上記した他の袋状包装シート６０よりも短くなっており、容器本体１の下容器部分２内に収まりやすくなる利点がある。
【００４８】
図２５はさらに他の形態であり、この態様では、長方形状の積層シート６１を樹脂フィルム側を下側として展開し（図２５ａ）、それを二つ折りし、さらに、線７１に沿って、上側シート６５を仮想線で示すように反対方向に折り返し、下側シート６７も同様に反対方向に折り返す（図２５ｂ）。次に、折り返すことにより形成された上側シート６５の重畳部と下側シート６７の重畳部の上縁側を熱シール等で接合６２ａ，６２ｂするとともに、そこに近接した下側シート６７と上側シート６５の積層部の上縁の一部も熱シール等で接合６２ｃする（図２５ｃ）。その後、上側シート６５を折り返し線６６で折り返すことにより、図２５ｄに示す袋状包装シート６０ｃとされる。図示のように、上側シート６５を折り返し線６６で折り返すことにより、上側シート６５の先端６５ａは大きく側方に飛び出た状態となる。そして、その部分を引き上げることにより、やはり、折り返し線６６の領域部分を食品を取り込むための開口部とする袋状に展開する。
【００４９】
なお、図２３〜図２５に示した袋状包装シート６０ａ，６０ｂ，６０ｃを用いてハンバーガー５０をラッピングする態様は、図１６に示した袋状包装シート６０の場合と実質的に同様であり、説明は省略する。
【図面の簡単な説明】
【００５０】
【図１】本発明で用いる容器本体の一例を示しており、図１ａは開いた状態（開放姿勢）を、図１ｂは閉じた状態（閉鎖姿勢）を示す。
【図２】包装シートの一例を示す展開図。
【図３】図２に示す包装シートを折り込む手順を示す図。
【図４】本発明による包装容器を用いて食品を包装する前の状態を示す図。
【図５】容器本体に折り込んだ包装シートを入れた状態を示す図。
【図６】折り込んだ包装シートの上にハンバーガーを置いた状態を示す図。
【図７】上容器本体を閉めて閉鎖姿勢とし、食品包装体とした状態を示す図。
【図８】容器本体を開放姿勢とし、折り込んだ包装シートを引き出した状態を示す図。
【図９】包装シートを展開した状態を示す図。
【図１０】包装シートの展開した部分を食品の上に被せた状態を示す図。
【図１１】包装シートでラッピングされた食品を示す図。
【図１２】包装シートの他の例を示す展開図。
【図１３】包装シートのさらに他の例を示す展開図。
【図１４】包装シートのさらに他の態様を示す展開図。
【図１５】図１４に示す包装シートの使用態様を説明するための図。
【図１６】包装シートの他の例である収容した食品を取り込むことのできる開口部を備えた袋状の包装シートの一例を作成手順とともに示す図。
【図１７】図１６に示す袋状包装シートを用いて食品を包装する前の状態を示す図。
【図１８】袋状包装シートを容器本体に入れた状態を示す図。
【図１９】袋状包装シートの上にハンバーガーを置いた状態を示す図。
【図２０】図１９の状態から上容器本体を閉めて閉鎖姿勢とし、食品包装体とした状態を示す図。
【図２１】飛び出ている部分を引き上げて袋状包装シートを展開した状態を示す図。
【図２２】展開した袋状包装シートでハンバーガーをラッピングした状態を示す図。
【図２３】袋状包装シートの他の例を作成手順とともに示す図。
【図２４】袋状包装シートのさらに他の例を作成手順とともに示す図。
【図２５】袋状包装シートのさらに他の例を作成手順とともに示す図。
【符号の説明】
【００５１】
１…容器本体、２…下容器部分、３…上容器部分、４…ヒンジ部、７…底部、１０、１０ａ…包装シート、１１…中央領域部、１２ａ，１２ｂ…拡幅部、１３…舌片状の突出部、１４…後方領域部、１５…立ち上がり部、５０…ハンバーガー（食品）、６０、６０ａ，６０ｂ，６０ｃ…袋状の包装シート、６５ａ…袋状の包装シートの上側シートの先端部であって一部が飛び出る状態とされる部分
【図１】
2005306480.tif 000003
【図２】
2005306480.tif 000004
【図３】
2005306480.tif 000005
【図４】
2005306480.tif 000006
【図５】
2005306480.tif 000007
【図６】
2005306480.tif 000008
【図７】
2005306480.tif 000009
【図８】
2005306480.tif 000010
【図９】
2005306480.tif 000011
【図１０】
2005306480.tif 000012
【図１１】
2005306480.tif 000013
【図１２】
2005306480.tif 000014
【図１３】
2005306480.tif 000015
【図１４】
2005306480.tif 000016
【図１５】
2005306480.tif 000017
【図１６】
2005306480.tif 000018
【図１７】
2005306480.tif 000019
【図１８】
2005306480.tif 000020
【図１９】
2005306480.tif 000021
【図２０】
2005306480.tif 000022
【図２１】
2005306480.tif 000023
【図２２】
2005306480.tif 000024
【図２３】
2005306480.tif 000025
【図２４】
2005306480.tif 000026
【図２５】
2005306480.tif 000027